(57)【要約】      （修正有）【課題】携帯電話器を照明手段として手軽に活用することによって、交通事故などの抑制に貢献することができる衣服を提供する。【解決手段】ポケット１１に、スマートフォンなどの携帯電話器２１を保持することができる保持部を、出し入れ可能に備える。保持部をポケット１１から出した状態で、携帯電話器２１の発光部が前面を向くように配置する。この保持部は、袋部１３と、袋部１３の上方に配置された吊り下げ部とを備え、その上端をポケット１１の内側に固定する。袋部１３は前面側をメッシュや透明素材などの透光性を有する素材で構成することにより、携帯電話器の発光部を夜間のライトとして用いる。【選択図】図１
0003192030.tif 000002
【実用新案登録請求の範囲】
【請求項１】
ポケットを備えた衣服において、
前記ポケットは、携帯電話器を保持することができる保持部を、出し入れ可能に備えたものであり、
前記保持部をポケットから出した状態で、携帯電話器の発光部が前面を向くように配置するものであり、これにより携帯電話器の発光部を夜間のライトとして用いることができることを特徴とする照明可能な衣服。
【請求項２】
前記携帯電話器がスマートフォンであり、
前記保持部は、前記スマートフォンを収納する袋部と、前記袋部の上方に配置された吊り下げ部とを備え、
前記吊り下げ部は、前記ポケットの内部に前記袋部が配置できると共に、前記袋部を前記ポケットから出して前記ポケットの外側に吊り下げて配置するものであり、
前記袋部は、前記ポケットの外側に吊り下げられた状態で、その前面側が前記スマートフォンの表示面の光を透過することができる透過面であることを特徴とする請求項１記載の照明可能な衣服。
【請求項３】
前記吊り下げ部は、その上端側に前記ポケットの内側に固定される固定部を備え、
前記吊り下げ部を、前記ポケットの上端で折り返すことによって、前記袋部を前記ポケットの外側に吊り下げて配置することができるものであることを特徴とする請求項２記載の照明可能な衣服。
【考案の詳細な説明】
【技術分野】
【０００１】
本考案は、携帯電話器を収納するポケットを備えた衣服に関する。
【背景技術】
【０００２】
交通事故は暗闇で相手を視認できないために起るケースが多いが、その対策が種々提案されているものの、実行を伴わないケースも多い。例えば、今日の自転車にはライトが標準装備されているが、点灯させずに自転車に乗っているケースも多い。また、歩行者と自転車の衝突では、歩行者が照明手段を有しおれば防ぐことができたケースもある。
【０００３】
他方、スマートフォンなどの携帯電話器をポケットに取り付けることに関する提案は、特許文献１に示す他、種々なされている。ところが、その多くは、携帯電話器を取り出しやすくする提案であったり、携帯電話器の脱落を防止することに関する提案であったり、ポケットに取り付けたままで携帯電話器を操作できるようにする提案であったりするもので、携帯電話器、特にスマートフォンを照明手段として歩行時や自転車に乗る際に利用することを提案するものはなかった。例えば、特許文献１では、携帯電話器などの電子機器を透視できる面を有して電子機器の表示面をこの透視できる面に対応させて収納可能な電子機器用ポケットを備え、この電子機器用ポケットは、衣服の外側の所定箇所に取り付けるための連結部材を介して、上記透視できる面が衣服側に向けられて取り付けられ、連結部材は、衣服の外側の所定箇所に取り付けられる固定辺との間で連結手段を介して着脱自在に連結されていることを特徴とする電子機器用衣服を提案するものであるが、この電子機器用ポケットは、衣服の外側の所定箇所に取り付けるための連結部材を介して、上記透視できる面が衣服側に向けられて取り付けられるものであり、照明手段として携帯電話器を活用することができない。
【先行技術文献】
【特許文献】
【０００４】
【特許文献１】特許第３３４３５５２号公報
【考案の概要】
【考案が解決しようとする課題】
【０００５】
本考案は、携帯電話器を照明手段として手軽に活用することによって、交通事故などの抑制に貢献することができる衣服の提供を課題とする。
【課題を解決するための手段】
【０００６】
本考案の衣服は、ポケットに、スマートフォンなどの携帯電話器を保持することができる保持部を、出し入れ可能に備えたものである。そして、前記保持部をポケットから出した状態で、携帯電話器の発光部が前面を向くように配置する。これにより携帯電話器の発光部を夜間のライトとして用いることができるようにしたものである。
【考案の効果】
【０００７】
上述のように、本考案は、携帯電話器を照明手段として手軽に活用できるようにしたものであり、これによって、夜間の歩行時や自転車走行時などの交通事故の抑制に貢献することができる衣服を提供することができたものである。
【図面の簡単な説明】
【０００８】
【図１】（Ａ）本考案の実施の形態に係る衣服の正面図、（Ｂ）同衣服の使用状態を示す正面図。
【図２】（Ａ）同衣服のポケットの使用状態の拡大正面図、（Ｂ）同ポケットの袋部にスマートフォンを入れて使用している状態の拡大正面図、（Ｃ）同ポケットの袋部を倒立させている状態の拡大正面図。
【考案を実施するための形態】
【０００９】
以下、図面に基づき本考案の実施の形態を説明する。
この実施の形態に係る衣服は、詰襟上着として実施したものであるが、ブレザーやセーラー服などの学生用の種々の制服として実施することができ、さらに、一般の適宜衣服として実施することができる。
【００１０】
この衣服は胸にポケット１１を備える。このポケット１１には、スマートフォン２１などの携帯電話器の保持部が出し入れ可能に設けられている。この例では、保持部を、袋部１３として実施しているものであり、袋部１３の上部には吊り下げ部１６を備え、その上端が固定部１７としてポケット１１の上端１２の内側に縫着などで固定されている。この後面１８は、縫着の他、ボタンとボタンホールや、ホックなどの着脱可能な固定手段に変更して実施することも可能である。
【００１１】
スマートフォン２１をライトとして使用しない際には、袋部１３はポケット１１の内部に収納される。そして、スマートフォン２１をライトとして使用するときには、袋部１３をポケット１１から引き出して、吊り下げ部１６によって、ポケット１１の前面側に吊り下げる。その際、吊り下げ部１６はポケット１１の内側の固定部１７からポケット１１の上端１２を跨ぐようにして、折り返される。
【００１２】
この袋部１３の前面の上部寄りには、出し入れ口１５が開口している。この出し入れ口１５はホックやファスナなどの係止具を設けておいてもよいが、線状の開口とすると共に、収納状態でスマートフォン２１の上部が出し入れ口１５よりも上に位置するように構成することによって、係止具なしでも脱落のおそれはない。
【００１３】
この袋部１３の前面は透過面１４となっている。透過面１４は、メッシュなどの編目を備えた素材や、透明軟質合成樹脂などのスマートフォン２１の表示面２２の光を外部に透過することができる素材で構成する。袋部１３の後面１８も同様の素材で構成することも可能であるが、後面１８は透光性を必要としないため、布や着色軟質合成樹脂などの素材で構成することもできる。また、１３を防水性の素材によって構成することもでき、これによって、雨天の際にも安心して使用することができる。
【００１４】
スマートフォン２１は、表示面２２には適宜な発光状態に設定すればよく、明るいホーム画面であれば発光状態を維持する設定にして収納するだけでもよく、ライトが点滅するアプリなどを実行させた状態でもよい。またスマートフォン２１以外の携帯電話器でも同様であり、カメラ機能のライトを発光させた状態で用いることもできるものであり、表示面以外の他の発光部の光を利用するものであってもよい。
【００１５】
以上のように、携帯電話器を発光状態で吊り下げて使用することで、夜間の歩行時や自転車走行時の視認性を高めて、交通事故の防止に携帯電話器を有効活用することができる。なお、上述の実施の形態では、胸ポケットに本考案を適用したが、他のポケットやズボンやスカートのポケットに適用することもできる。
【符号の説明】
【００１６】
１１  ポケット
１２  上端
１３  袋部
１４  透過面
１５  出し入れ口
１６  吊り下げ部
１７  固定部
１８  後面
２１  スマートフォン
２２  表示面
【図１】
0003192030.tif 000003
【図２】
0003192030.tif 000004